(57)【要約】【課題】  急速にインクの消費量が増加した場合においてもインクを安定して供給することができるインク供給システムでかつ、インクタンクの形状を限定することのないインク供給システムを提供する。【解決手段】  インクタンク１０３に高位用と標準用の2種類の液位センサを設け、単位時間あたりのインク消費量が多い記録データを記録する際は高位用の液位センサ１０５を用い、標準のインク消費量の記録データを記録する際は標準の液位センサ１０６を用いる。そして、記録中にインク液位がセンサ以下になった場合はインク供給弁１０４を開け、インク液位がセンサ位置に到達するまでインクを供給する。また、液位センサを用いるのではなく、インクタンクと記録ヘッドとの水頭差を、インク消費量が多い記録データを記録する場合は、標準よりも高くするようにインクタンクを鉛直方向上下に移動させる形態であってもよい。【選択図】  図１
2006001100.tif 000002
【特許請求の範囲】
【請求項１】
インクを吐出する記録ヘッドと、該記録ヘッドへインクを供給するインクタンクとを具えるインクジェット記録装置において、
記録対象の記録データに応じて単位時間あたりのインク消費量を算出するインク消費量算出手段と、
前記インク消費量算出手段によって算出された値に応じて前記インクタンクと前記記録ヘッドとの水頭差を決定する水頭差決定手段と、
前記水頭差決定手段が決定する水頭差を満たすように、前記インクタンク内の液位と前記記録ヘッドとの相対的な位置を調節するインクタンク調節手段と、
を具え、
前記水頭差決定手段は、前記単位時間あたりのインク消費量が多いほど、前記インクタンクと前記記録ヘッドとの水頭差が大きくなるように決定することを特徴とするインクジェット記録装置。
【請求項２】
前記インクタンク調節手段は、インクタンクを鉛直方向上下に移動させることで前記所定の水頭差を実現することを特徴とする請求項１に記載のインクジェット記録装置。
【請求項３】
前記インクタンクは一片が可動壁となって内容積を自由に変更でき、前記インクタンク調節手段は、前記インクタンクの可動壁を移動させることで、前記所定の水頭差を実現することを特徴とする請求項１に記載のインクジェット記録装置。
【請求項４】
前記インクタンクにインクを供給する副インクタンクと、前記副インクタンクから前記インクタンクへのインクの流れを遮断するインク供給弁とをさらに具え、
前記インクタンク調節手段は、前記インクタンクの液位に応じて前記インク供給弁を開け、前記副インクタンクより所定量のインクを前記インクタンクへ供給することで、前記所定の水頭差を実現することを特徴とする請求項１に記載のインクジェット記録装置。
【請求項５】
インクを吐出する記録ヘッドと、該記録ヘッドへインクを供給するインクタンクとを具えるインクジェット記録装置において、
前記インクタンクの第１液位及び該第１液位よりも高位の第２液位を検知するセンサと、
前記インクタンクへインクを供給する副インクタンクと、
該副インクタンクから前記インクタンクへのインクの流れを遮断するインク供給弁と、
記録対象の記録データに応じて単位時間あたりのインク消費量を算出するインク消費量算出手段と、
前記インク消費量算出手段によって算出された値に応じてインクタンク内の液位が所定値に到達するまでインク供給弁を開けるインク供給弁開閉手段と、
を具え、
前記インク供給弁開閉手段は、前記単位時間あたりのインク消費量が所定量以上の場合は、前記第２液位にインクが到達するまで、インク供給弁を開けることを特徴とするインクジェット記録装置。
【請求項６】
インクを吐出する記録ヘッドと、該記録ヘッドへインクを供給するインクタンクとを具えるインクジェット記録装置に対して前記インクタンクにインクを供給するインク供給システムにおいて、
記録対象の記録データに応じて単位時間あたりのインク消費量を算出するインク消費量算出手段と、
前記インク消費量算出手段によって算出された値に応じて前記インクタンクと前記記録ヘッドとの水頭差を決定する水頭差決定手段と、
前記水頭差決定手段が決定する水頭差を満たすように、前記インクタンクへインクを供給するインク供給手段とを具え、
前記水頭差決定手段は、前記単位時間あたりのインク消費量が多いほど、前記インクタンクと前記記録ヘッドとの水頭差が大きくなるように決定することを特徴とするインク供給システム。
【請求項７】
インクを吐出する記録ヘッドと、該記録ヘッドへインクを供給するインクタンクとを具えるインクジェット記録装置に対して、インクを供給するインク供給システムにおいて、
前記インクタンクの第１液位及び該第１液位よりも高位の第２液位を検知するセンサと、
記録対象の記録データに応じて単位時間あたりのインク消費量を算出するインク消費量算出手段と、
前記インク消費量算出手段によって算出された値に応じたセンサ液位にインクタンク内のインク液位が到達するまでインクを供給するインク供給手段とを具え、
前記インク供給手段は、前記単位時間あたりのインク消費量が所定量以上の場合は、前記第２液位にインクが到達するまで、インクを供給することを特徴とするインク供給システム。
【発明の詳細な説明】
【技術分野】
【０００１】
本発明はインクを記録媒体に付与することによって画像を形成するインクジェット記録装置および、該インクジェット記録装置にインクを供給するインク供給システムに関する。
【背景技術】
【０００２】
記録媒体にインクを付与することによって画像を形成する形態の画像形成装置は、パーソナルコンピュータなどの普及に伴い、近年、増加している。特に、複数のノズルを配列した記録ヘッドから記録媒体に対してインク滴を吐出して記録媒体上に画像を形成するインクジェット記録装置は、装置の小型化が比較的容易であること、カラー記録が安価に実現できることなどの理由により、急速に普及している。
【０００３】
このようなインクを用いた画像形成装置は、記録ヘッド等の記録素子側へインクを安定的に供給するインク供給システムが必要である。特に、インク交換の回数を減らすために大容量のインクタンクを設けた場合、記録素子とインクタンクとを一体構造にするのが難しい場合が多く、記録素子とインクタンクとの距離は離れる傾向にある。このように記録素子とインクタンクが離れた場合、インクタンクからのインクを記録素子側へ常に安定的に供給するために、従来より様々な提案が成されてきた。
【０００４】
例えば、インクタンクに空気流入量調整部を設け、インクタンク内への空気の流入を制限してインクタンク内の負圧を常に維持することによって、記録素子側へインクを安定供給できるようにしたものがある（特許文献１参照）。具体的には、空気の流入速度をインクの消費速度以下に制限することにより、常にインクタンク内を負圧に維持している。
【０００５】
【特許文献１】特開２００２−３２１３９０号公報
【発明の開示】
【発明が解決しようとする課題】
【０００６】
しかしながら、上記従来のインク供給システムは、インクの消費速度はほぼ一定であるという仮定のもとに成立するため、インクの消費速度が急激に変化した場合の対応が不十分となるという問題がある。つまり、従来のインク供給システムは、単位時間内のインクの消費速度が一定、すなわち、記録速度が変化するという概念を持たないため、単位時間内にインクの消費量を急速に増加させると、空気流入量の調整がインクの消費速度に間に合わず、インクタンク内の負圧の維持が困難となる。その結果、記録に必要なインクが十分に記録素子側に供給されないという事態が発生する可能性がある。
【０００７】
本発明はこのような問題に鑑みてなされたものであり、急速にインクの消費量が増加した場合においてもインクを安定して供給することができるインク供給システムを提供することを目的とする。
【０００８】
また、このようなインク供給システムを形成するにあたり、インクタンクの形状を限定することのないものを提供することを第２の目的とする。
【課題を解決するための手段】
【０００９】
本発明のインクジェット記録装置は、インクを吐出する記録ヘッドと、該記録ヘッドへインクを供給するインクタンクとを具えるインクジェット記録装置において、記録対象の記録データに応じて単位時間あたりのインク消費量を算出するインク消費量算出手段と、前記インク消費量算出手段によって算出された値に応じて前記インクタンクと前記記録ヘッドとの水頭差を決定する水頭差決定手段と、前記水頭差決定手段が決定する水頭差を満たすように、前記インクタンク内の液位と前記記録ヘッドとの相対的な位置を調節するインクタンク調節手段とを具え、前記水頭差決定手段は、前記単位時間あたりのインク消費量が多いほど、前記インクタンクと前記記録ヘッドとの水頭差が大きくなるように決定することを特徴とする。
【００１０】
また、インクを吐出する記録ヘッドと、該記録ヘッドへインクを供給するインクタンクとを具えるインクジェット記録装置において、前記インクタンクの第１液位及び該第１液位よりも高位の第２液位を検知するセンサと、前記インクタンクへインクを供給する副インクタンクと、該副インクタンクから前記インクタンクへのインクの流れを遮断するインク供給弁と、記録対象の記録データに応じて単位時間あたりのインク消費量を算出するインク消費量算出手段と、前記インク消費量算出手段によって算出された値に応じてインクタンク内の液位が所定値に到達するまでインク供給弁を開けるインク供給弁開閉手段とを具え、前記インク供給弁開閉手段は、前記単位時間あたりのインク消費量が所定量以上の場合は、前記第２液位にインクが到達するまで、インク供給弁を開けることを特徴とするものであってもよい。
【００１１】
また、本発明のインク供給システムは、インクを吐出する記録ヘッドと、該記録ヘッドへインクを供給するインクタンクとを具えるインクジェット記録装置に対して前記インクタンクにインクを供給するインク供給システムにおいて、記録対象の記録データに応じて単位時間あたりのインク消費量を算出するインク消費量算出手段と、前記インク消費量算出手段によって算出された値に応じて前記インクタンクと前記記録ヘッドとの水頭差を決定する水頭差決定手段と、前記水頭差決定手段が決定する水頭差を満たすように、前記インクタンクへインクを供給するインク供給手段とを具え、前記水頭差決定手段は、前記単位時間あたりのインク消費量が多いほど、前記インクタンクと前記記録ヘッドとの水頭差が大きくなるように決定することを特徴とする。
【００１２】
さらに、インクを吐出する記録ヘッドと、該記録ヘッドへインクを供給するインクタンクとを具えるインクジェット記録装置に対して、インクを供給するインク供給システムにおいて、前記インクタンクの第１液位及び該第１液位よりも高位の第２液位を検知するセンサと、記録対象の記録データに応じて単位時間あたりのインク消費量を算出するインク消費量算出手段と、前記インク消費量算出手段によって算出された値に応じたセンサ液位にインクタンク内のインク液位が到達するまでインクを供給するインク供給手段とを具え、前記インク供給手段は、前記単位時間あたりのインク消費量が所定量以上の場合は、前記第２液位にインクが到達するまで、インクを供給することを特徴とするものであってもよい。
【発明の効果】
【００１３】
本発明によれば、単位時間あたりのインク消費量が異なる様々な記録データに応じて、適切にインクタンクからインクを供給するとともに、そのインクタンクへインクを供給することができ、常に安定したインク供給を実現することができる。さらに、インク消費量の急激な増加によるインク切れ等の発生を防止することができる。
【００１４】
また、インクタンクに2段階の水位を検知するセンサを設ける簡単な構成で上記安定したインク供給を実現することができる。
【００１５】
また、インクタンクの一片に可動壁を設けることで、インクタンクと記録ヘッドとの水頭差を容易に変化させることを可能とし、記録データの多少に応じて水頭差を変化させることで、上記安定したインク供給を実現することができる。
【００１６】
また、インクタンクを鉛直方向に上下できるようにすることで、インクタンクと記録ヘッドとの水頭差を容易に変化させることを可能とし、記録データの多少に応じて水頭差を変化させることで、上記安定したインク供給を実現することができる。
【００１７】
また、これらインクタンクの水頭差を調節したり、インクタンク内のインク液位をセンサで検知するなどの比較的簡易な構成でインクを安定して供給することができ、かつインクタンクの形状を限定することなく、様々な形状のインクタンクに適応可能である。
【発明を実施するための最良の形態】
【００１８】
本発明の実施形態について、以下に図面を参照して説明する。
（実施形態１）
図１は本実施形態におけるインク供給システムを示す模式図である。
【００１９】
１０１はコントローラであり、システムの各部位の制御を行う。１０２は記録ヘッドであり、記録素子である複数のノズルが記録媒体と対峙するようにして配列されている。そして、記録ヘッド１０２はコントローラ１０１からの制御を受けて各ノズルからインクを吐出して記録を行う。１０３はインクタンク（以下、「メインタンク」ともいう）であり、記録ヘッド１０２へ供給するインクを貯留している。１０４はインク供給弁であり、コントローラからの制御を受けてさらに別のインクタンク（以下、「サブタンク」ともいう）からメインタンク１０３へインクを供給するために開閉を行う。１０５及び１０６はインクタンク内の水位を検出するセンサであり、１０５は高位の水位を検出し、１０６は標準時の水位を検出する。
【００２０】
図２は、インク供給システムのコントローラの内部構成を示すブロック図である。
２０１はＣＰＵであり、後述する制御プログラムを実行して、コントローラ内の各部を統合的に制御する。２０２及び２０３は水位センサであり、インクタンクに設けられたセンサ１０５及び１０６に水位が到達したことを検知すると、オフ信号を出力し、水位が達していなければオン信号を出力するものである。２０２は高位水位センサであり、センサ１０５に対応している。２０３は標準時水位センサであり、センサ１０６に対応している。２０４はインク供給弁制御部であり、ＣＰＵ２０１からの指令に基づき、インク供給弁１０４の開閉を制御する。２０５は記録ヘッド制御部であり、ＣＰＵ２０１からの指令に基づき、記録ヘッド１０２の駆動を制御する。２０６はホストデバイスであり、ホストコンピュータから送信されてきた記録データや記録モードを変換してＣＰＵ２０１へ送る。２０７はＲＯＭであり、図３、図４、および図５に示すフローに対応する各種制御プログラムが格納されており、プログラムはＣＰＵ２０１により読み込まれて実行される。２０８はＲＡＭであり、記録モード２２１などホストコンピュータから送信されてきた情報を記憶している。
【００２１】
次に、メインタンク側からサブタンク側へインクを供給する処理について説明する。
図３は記録時の処理の流れを示すフローチャートである。
【００２２】
まず、記録開始の指令をＣＰＵが受けると、記録モード２２１をＲＡＭメモリに記憶させる（ステップ３０１）。記録モードには、単位時間あたりのインク消費量が通常の場合の標準モードと、単位時間あたりのインク消費量が通常よりも多い場合の高位モードとが設けられている。そこで、これらの記録モードのいずれかが送信されてくると、この記録モードを記憶し、この記録モードに適した処理を行っていく。
【００２３】
ＣＰＵはインク供給プロセスを起動させるために供給開始信号をインク供給弁制御部へ送る（ステップ３０２）。インク供給プロセスの詳細については後述する。
【００２４】
そしてインク供給開始信号の発信とほぼ同時に、ＣＰＵは記録ヘッド制御部へ記録データを送り、記録動作を開始する（ステップ３０３）。具体的には、記録ヘッド制御部が記録データに基づいて、各ノズルの駆動を決定し、その信号を記録ヘッド１０２へ送り、記録ヘッドが駆動を開始して、記録が行われる。
【００２５】
記録動作が終了すると、ＣＰＵは供給終了信号をインク供給弁制御部へ送り（ステップ３０４）、これを受けたインク供給弁制御部はインク供給プロセスを終了する。これら一連の動作が終了すると、記録動作は終了する。
【００２６】
次にインク供給プロセスの処理の流れを説明する。
図４は、インク供給プロセスを示すフローチャートである。
【００２７】
ＣＰＵから供給開始の信号を受けると、インク供給弁制御部は、ＲＡＭに記憶されている記録モードを確認し（ステップ４０１）、記録モードが標準モードであれば、標準水位センサのオン・オフを確認する（ステップ４０２）。インクタンク内の液位が標準位センサ位置を超えており信号がオフの場合は、サブタンク側からインクをさらに供給する必要がないので、インク供給弁を閉じた状態にする（ステップ４０３）。一方、インクタンク内の液位が標準位センサ位置に到達しておらず、信号がオンの場合は、サブタンク側からインクを供給する必要があるので、インク供給弁を開にする（ステップ４０４）。そしてＣＰＵから供給終了信号を受けると（ステップ４０５）、インク供給弁を閉じてインク供給プロセスを終了する。一方、供給終了信号が送られてこない間は、センサ信号がオフになるとインク供給弁を閉じる。
【００２８】
また、記録モードが高位モードである場合は、高位水位センサのオン・オフを確認する（ステップ４０６）。インクタンク内の液位が高位センサ位置を超えており信号がオフの場合は、サブタンク側からインクをさらに供給する必要がないので、インク供給弁を閉じた状態にする（ステップ４０７）。一方、インクタンク内の液位が高位センサ位置に到達しておらず、信号がオンの場合は、サブタンク側からインクを供給する必要があるので、インク供給弁を開にする（ステップ４０８）。そして、ＣＰＵから供給終了信号を受けると（ステップ４０９）、インク供給弁を閉じてインク供給プロセスを終了する。一方、供給終了信号が送られてこない間は、高位センサ信号がオフになるまで、インク供給弁を開にしておく。
【００２９】
このように、通常よりも印字量が多い、高位モードの場合は、急激にインクが消費される可能性が高いので、標準モードよりも高い位置に液位検出センサを設け、標準モード時よりも早めにインク供給弁を開にし、サブタンク側からインクを補充しておくことにより、急激にインク消費量が増加した場合でもインクを安定して供給することができる。
【００３０】
なお、記録モードの確認は、ＲＡＭに記録された情報を確認するだけではなく、必要に応じてホストデバイスから取得することもできる。
【００３１】
また、本実施形態では記録モードを高位モードと標準モードの2種類としたが、本発明はこれに限らず2種類以上設けられていてもよい。また、これらの記録モードにあわせて２つの水位センサを設置する構成としたが、本発明はこれに限らず、複数の水位を検出可能なセンサを1個設置する構成であってもよい。
【００３２】
また、インク供給弁制御部は、インク供給弁の開閉を制御するだけでなく、その弁の開閉に伴って駆動する供給ポンプの駆動制御も行うものであってもよい。
【００３３】
本実施形態では、図３に示したように、記録開始プロセスからインク供給プロセスを起動させる構成としたが、本発明はこれに限らず、インク供給プロセスから記録開始プロセスを起動させる構成であってもよい。
【００３４】
また、参照データの格納媒体は、ＲＡＭに限らず、例えば、フロッピー（登録商標）ディスク、ハードディスク、磁気テープなどの磁気記憶媒体、ＭＯ、ＰＤなどの光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷなどの光ディスクや、半導体ストレージ、紙テープ、ＲＯＭ素子などでもよい。
【００３５】
さらに、本実施形態では、上記構成を具えるインク供給システムを説明したが、本発明はこれに限らず、上記構成を具えるインクジェット記録装置であってもよい。なお、これは、本実施形態に限らず、以下の実施形態においても適用可能である。
【００３６】
（実施形態２）
実施形態１では、インクタンクのセンサを標準モード用と高位モード用の２液位を検出できるようにすることで、通常よりもインク消費量が急激に増加する可能性が高い高位モードの時は、早めにインクを補充することでき、インク消費量が増加しても常に安定的にインクを供給できるようにしている。しかしながら、この制御はホストデバイスから記録モードが送られてくることを前提としており、ホストデバイスからの送信情報は記録データだけでなく、モードデータも必要となる。
【００３７】
本実施形態では、記録を開始する際に、ホストデバイスから送られてきた記録データをもとにして、単位時間あたりのインク消費量を算出し、その算出結果から記録モードを決定するものである。
【００３８】
システムの構成および、コントローラの構成は実施形態１と同様とする。
図５は、記録動作の流れを示すフローチャートである。
【００３９】
ＣＰＵは、ホストデバイスから送られた記録データをもとにして、単位時間あたりのインク消費量を算出する（ステップ５０１）。そして、算出したインク消費量に対応した記録モードを選択し、その記録モードをＲＡＭに記憶させる（ステップ５０２）。そして、インク供給開始信号をインク供給弁制御部へ送る（ステップ５０３）。インク供給開始信号を受けたインク供給弁制御部は、インク供給プロセスを実行する。これについては後述する。またＣＰＵは、記録データに基づいて記録ヘッド制御部へ記録指令を送り、記録動作を開始する（ステップ５０４）。記録ヘッド制御部は、記録データに基づいて、各ノズルを駆動させ、記録媒体に記録を行う。そして、記録データの記録がすべて終了すると、ＣＰＵはインク供給弁制御部へ供給終了信号を発信し（ステップ５０５）、一連の記録動作は終了する。
【００４０】
インク供給開始信号を受けたインク供給弁制御部は、前記ステップ５０１で決定された記録モードに基づいて、インク供給プロセスを実施する。このプロセスの流れは実施形態１と同様とする。
【００４１】
（実施形態３）
本実施形態では、インクタンクに可動壁を設け、インク消費量が多いと思われる記録データの場合を、この壁を動かすことによって、標準時よりも水頭差が大きくなるようにして、インクが急激に消費された場合でも、インク供給が安定して行えるようにする。
【００４２】
図６は本実施形態のインク供給システムを示す模式図である。
６０１はコントローラであり、システムの各部位の制御を行う。６０２は記録ヘッドであり、記録素子である複数のノズルが記録媒体と対峙するようにして配列されている。そして、記録ヘッド６０２はコントローラ６０１からの制御を受けて各ノズルからインクを吐出して記録を行う。６０３はインクタンク（以下、「メインタンク」ともいう）であり、記録ヘッド６０２へ供給するインクを貯留している。６０４はインク供給弁であり、コントローラからの制御を受けてさらに別のインクタンク（以下、「サブタンク」ともいう）からメインタンク６０３へインクを供給するために開閉を行う。６０５はインクタンク６０３の可動壁であり、コントローラ６０１からの制御指令を受けて、壁位置を水平方向に移動させ、インクタンク６０３の形状を変化させることによって、収容されているインクの液位を変化させ任意の水頭差にする。
【００４３】
インクタンク６０３は、これを構成する複数の壁のうち、鉛直方向に立てられた壁の一つが可動壁６０５となっている。そして、内部はこれら壁で構成される筐体とその内側に設けられたインク袋との2重構成となっている。したがって、可動壁６０５を内側に動かすと、インク袋は押さえつけられて、筐体に沿った形に変形する。これに伴ってインク液位も高くなる。可動壁６０５と接合する２壁面は引き戸のようにレールに沿って移動可能となっている。なお、本実施形態では、インク袋と筐体の2重構造のインクタンクを用いたが本発明はこれに限らず、可動壁６０５と接合する２壁面が蛇腹状になっていて、インクタンク内部のシールドを保持した状態で容積を変化できるようになっているものであってもよい。
【００４４】
図７はコントローラの内部構成を示すブロック図である。
７０１はＣＰＵであり、ＲＯＭ７０６に記憶されているプログラムを実行してコントローラの各部を制御する。７０２は可動壁制御部であり、ＣＰＵ７０１からの指令に従い、可動壁の壁位置を変更するように、可動壁を動かす。７０３はインク供給弁制御部であり、ＣＰＵ７０１の指令に従って、インク供給弁の開閉を制御する。７０４は記録ヘッド制御部であり、ＣＰＵ７０１からの指令に基づき、記録ヘッドへ駆動信号を送る。７０５はホストデバイスであり、記録データや必要水頭差をＣＰＵ７０１へ送る。７０６はＲＯＭであり、例えば、図８に示すフローに対応する各種制御プログラムが格納されている。７０７はＲＡＭであり、ホストデバイスから送られてきた必要水頭差（水頭差値）７２１などを随時記憶している。
【００４５】
図８は記録動作の流れを示すフローチャートである。
まず、記録開始指令を受けると、ＣＰＵはホストデバイスから受け取った必要水頭差をＲＡＭに記憶させる（ステップ８０１）。そして、現状のインクタンクの可動壁の位置を検出し、それが必要水頭差に対応した位置でなければ、インクタンクの水頭差が必要水頭差となる所定位置へ可動壁を移動させる（ステップ８０２）。なお、インクタンクに水位センサが設けられており、現状のインク液位を検出することで、現状のインクタンクと記録ヘッドとの水頭差を推定し、この推定された現状の水頭差と必要水頭差とを比較してその差分から可動壁の位置を算出し、その算出値に応じて可動壁を移動させるようにしてもよい。
【００４６】
次に記録動作を行う場合は（ステップ８０３）、ＣＰＵは記録ヘッド制御部へ記録開始指令を送り、記録ヘッド制御部が記録ヘッドを駆動させる（ステップ８０４）とともに、ＣＰＵはインク供給弁制御部へインク供給弁の開指令を送る。この指令を受けたインク供給弁制御部は、インク供給弁を開ける（ステップ８０６）。そして、インクが随時、インクタンク側へ供給される。そして、すべての記録データが記録され、記録動作を終了するときは（ステップ８０４）、インク供給弁を閉じる（ステップ８０５）。そして、このインク供給プロセスを終了する。また、インクタンクの水位センサによって、インクタンク内のインクが所定量に到達したことが検出されると、インク供給弁を閉じるようにしてもよい。
【００４７】
このように、インク消費量が多いと予想される記録データに関しては、ホストデバイス側があらかじめ、通常よりも高めの値を必要水頭差として要求し、その必要水頭差に応じて、インクタンクの可動壁を動かすことによって、インクタンクと記録ヘッドとの間の水頭差を変化させ、急激なインク消費が発生しても、記録ヘッド側に安定的にインクを供給することができる。
【００４８】
なお、可動壁の位置の算出に関して、本実施形態では、コントローラで行うものとしたが、本発明はこれに限らず、現状の水頭差をコントローラがホストデバイスへ送り、ホストデバイスが可動壁の位置を算出する形態であってもよい。
【００４９】
（実施形態４）
実施形態３ではインクタンクの壁面を稼動させてインクタンク内の容積を変更することで、必要な水頭差を得ている。本実施形態では、インクタンク内の容積を変更するのではなく、インクタンク本体を鉛直方向に上下させることによって、必要な水頭差を実現するものである。
【００５０】
図９は、本実施形態のインク供給システムを示す模式図である。
コントローラ９０１及び記録ヘッド９０２ならびにインク供給弁９０４の構造は実施形態１と同様であるが、インクタンク９０３は、インクタンク本体が鉛直方向上下に移動可能な構成を有するものである。具体的には、インクタンクに沿って鉛直方向にレールが設けられており、そのレールに沿って所定量を移動する。なお、移動方法はレールに限らず、吊り下げ方法など鉛直方向に移動できればいかなる方法であってもよい。
【００５１】
インクタンク９０３は、インクタンク内のインク量および、記録データに応じて、位置を上下させて記録ヘッド９０２との水頭差を維持できるようにする。
【００５２】
図１０はコントローラの電気的構成を示すブロック図である。
１００１はＣＰＵであり、ＲＯＭ１００６に記憶されているプログラムを実行してコントローラの各部を制御する。１００２は可動インクタンク制御部であり、ＣＰＵ１００１からの指令に従い、インクタンクの鉛直方向の移動量を決定し、インクタンクを移動させる。１００３はインク供給弁制御部であり、ＣＰＵ１００１の指令に従って、インク供給弁の開閉を制御する。１００４は記録ヘッド制御部であり、ＣＰＵ１００１からの指令に基づき、記録ヘッドへ駆動信号を送る。１００５はホストデバイスであり、記録データや必要水頭差をＣＰＵ１００１へ送る。１００６はＲＯＭであり、図１１に示すフローに対応する各種制御プログラムが格納されている。１００７はＲＡＭであり、ホストデバイスから送られてきた必要水頭差（水頭差値）１０２１などを随時記憶している。
【００５３】
次に、インクタンクの移動制御の具体的な処理の流れについて説明する。
図１１は記録動作の流れを示すフローチャートである。
【００５４】
まず、記録開始指令を受けると、ＣＰＵはホストデバイスから受け取った必要水頭差をＲＡＭに記憶させる（ステップ１１０１）。そして、現状のインクタンクの鉛直方向位置を検出し、それが必要水頭差に対応した位置でなければ、インクタンクの水頭差が必要水頭差となる所定位置まで移動させる（ステップ１１０２）。なお、インクタンクに水位センサが設けられており、現状のインク液位を検出することで、現状のインクタンクと記録ヘッドとの水頭差を推定し、この推定された現状の水頭差と必要水頭差とを比較してその差分からインクタンクの位置を算出し、その算出値に応じてインクタンクを移動させるようにしてもよい。
【００５５】
次に記録動作を行う場合は（ステップ１１０３）、ＣＰＵは記録ヘッド制御部へ記録開始指令を送り、記録ヘッド制御部が記録ヘッドを駆動させる（ステップ１１０４）とともに、ＣＰＵはインク供給弁制御部へインク供給弁の開指令を送る。この指令を受けたインク供給弁制御部は、インク供給弁を開ける（ステップ１１０６）。そして、インクが随時、インクタンク側へ供給される。そして、すべての記録データが記録され、記録動作を終了するときは（ステップ１１０４）、インク供給弁を閉じる（ステップ１１０５）。そして、このインク供給プロセスを終了する。また、インクタンクの水位センサによって、インクタンク内のインクが所定量に到達したことが検出されると、インク供給弁を閉じるようにしてもよい。
【００５６】
このように、インク消費量が多いと予想される記録データに関しては、ホストデバイス側があらかじめ、通常よりも高めの値を必要水頭差として要求し、その必要水頭差に応じて、インクタンクの位置を動かすことによって、インクタンクと記録ヘッドとの間の水頭差を変化させ、急激なインク消費が発生しても、記録ヘッド側に安定的にインクを供給することができる。
【００５７】
なお、必要水頭差は、ＲＡＭに記憶させる形態に限らず、必要に応じてホストデバイスから毎回取得する形態であってもよい。
【００５８】
（実施形態５）
本実施形態では、実施形態４と同様にインクタンクを鉛直方向上下に移動させて必要な水頭差を保持するとともに、記録データから使用するインク量を算出し、その量に応じてインクを適宜インクタンクに供給する構成を説明する。
【００５９】
インクジェット記録装置およびインク供給システムの装置構成は実施形態４と同様とする。
【００６０】
図１２はコントローラの電気的構成を示すブロック図である。
ＣＰＵ１２０１、可動インクタンク制御部１２０２、インク供給弁制御部１２０３、記録ヘッド制御部１２０４、ホストデバイス１２０５、ＲＯＭ１２０６に関しては実施形態４と同様であり、図１３に示すフローに対応するプログラムを記憶している。ＲＡＭ１２０７に格納されるデータは、ホストデバイスを経由して入力された必要水頭差１２２１だけでなく、記録データ１２２２も含まれる。
【００６１】
図１３は、記録時の処理を示すフローチャートである。
記録を開始するにあたり、ホストデバイスから受け取った必要水頭差および記録データをＲＡＭに記憶し（ステップ１３０１）、必要水頭差からインクタンクの位置を決定し、可動インクタンク制御部はインクタンクを所定位置に移動させる（ステップ１３０２）。なお、必要水頭差に応じたインクタンクの位置が現状のインクタンク位置と同じであれば、移動の必要はない。また、必要水頭差は、単位時間当たりのインク消費量が多い記録データの場合は通常よりも高めに設定されるというように、記録データに応じて変更されてホストデバイスから送られてくるものであってもよいし、ＣＰＵ自身がホストデバイスから送られた記録データを分析して、インク消費量が多いと判断した場合は、送られた必要水頭差よりも高い値を設定し、それに応じた位置にインクタンクを移動させてもよい。
【００６２】
次に記録データがＲＡＭに格納されているか否かを判断し（ステップ１３０３）、格納されている場合は、その記録データに基づいて記録動作を開始する（ステップ１３０４）。そして、記録データから記録に必要なインク量を算出し、そのインク量だけインクタンクに供給するべく、インク供給弁を開く（ステップ１３０５）。そして、所定量を供給し終えると、インク供給弁を閉じる（ステップ１３０５）。またインク供給弁の開閉は実際に記録動作が開始されてから行う。
【００６３】
このように、インク供給を使用するインク量だけ、記録動作中に行うことにより、常にインクタンク内の液位を一定に保つことが可能となり、インクタンクに液位センサなどを設けなくても、常に一定の水頭差を維持することができる。さらに、通常の水頭差がこのように固定化されているので、記録データの多少に応じて、適宜インクタンクの位置を移動させることで、常に記録に適した水頭差を保持することができ、途切れることなく記録ヘッドへインク供給を行うことができる。
【図面の簡単な説明】
【００６４】
【図１】実施形態１のインク供給システムの構成を示す模式図である。
【図２】図１のコントローラの電気的構成を示すブロック図である。
【図３】実施形態１におけるインク供給と記録動作の流れを示すフローチャートである。
【図４】実施形態１におけるインク供給処理の流れを示すフローチャートである。
【図５】実施形態２におけるインク供給と記録動作の流れを示すフローチャートである。
【図６】実施形態３におけるインク供給システムの構成を示す模式図である。
【図７】図６のコントローラの電気的構成を示すブロック図である。
【図８】実施形態３におけるインク供給と記録動作の流れを示すフローチャートである。
【図９】実施形態４におけるインク供給システムの構成を示す模式図である。
【図１０】図９のコントローラの電気的構成を示すブロック図である。
【図１１】実施形態４におけるインク供給と記録動作の流れを示すフローチャートである。
【図１２】実施形態５におけるコントローラの電気的構成を示すブロック図である。
【図１３】実施形態５におけるインク供給と記録動作の流れを示すフローチャートである。
【符号の説明】
【００６５】
１０１  コントローラ
１０２  記録ヘッド
１０３  インクタンク
１０４  インク供給弁
１０５  水位（インク液位）センサ（高位）
１０６  水位（インク液位）センサ（標準）
２０１  ＣＰＵ
２０２  高位水位センサ
２０３  標準水位センサ
２０４  インク供給弁制御部
２０５  記録ヘッド制御部
２０６  ホストデバイス
２０７  ＲＯＭ
２０８  ＲＡＭ
２２１  記録モード
【図１】
2006001100.tif 000003
【図２】
2006001100.tif 000004
【図３】
2006001100.tif 000005
【図４】
2006001100.tif 000006
【図５】
2006001100.tif 000007
【図６】
2006001100.tif 000008
【図７】
2006001100.tif 000009
【図８】
2006001100.tif 000010
【図９】
2006001100.tif 000011
【図１０】
2006001100.tif 000012
【図１１】
2006001100.tif 000013
【図１２】
2006001100.tif 000014
【図１３】
2006001100.tif 000015